(57)【特許請求の範囲】
【請求項１】
電話着信音を用いた広告情報提供方法であって、
電話機に電話着信音をダウンロードし、
上記ダウンロードした電話着信音毎に、該電話着信音の使用の際にもたらされる広告効果を評価する基準情報として、少なくとも該電話着信音を再生して通話処理に入った回数を取得して保持させ、
上記保持させた基準情報、あるいは、規定の算出式に従って該基準情報から算出される情報を、電話機の所持者に支払う広告料の決定に用いるための情報として送信するように処理することを、
特徴とする電話着信音を用いた広告情報提供方法。
【請求項２】
電話着信音を用いた広告情報提供方法であって、
電話機に電話着信音をダウンロードし、
上記ダウンロードした電話着信音毎に、該電話着信音の使用の際にもたらされる広告効果を評価する基準情報として、少なくとも該電話着信音を再生して着信を行った発信者の数を、発信者の電話番号を取得することによってカウントして保持させ、
上記保持させた基準情報、あるいは、規定の算出式に従って該基準情報から算出される情報を、電話機の所持者に支払う広告料の決定に用いるための情報として送信するように処理することを、
特徴とする電話着信音を用いた広告情報提供方法。
【請求項３】
請求項１又は２に記載の電話着信音を用いた広告情報提供方法において、
上記基準情報に応じて電話着信音の広告依頼者から広告料を徴収して、電話機の所持者に支払うように処理することを、
特徴とする電話着信音を用いた広告情報提供方法。
【請求項４】
電話着信音を用いた広告情報提供方法の実現に用いられるプログラムを記録したプログラム記録媒体であって、
電話機に電話着信音をダウンロードする処理と、
上記ダウンロードした電話着信音毎に、該電話着信音の使用の際にもたらされる広告効果を評価する基準情報として、少なくとも該電話着信音を再生して通話処理に入った回数を取得して保持させる処理と、
上記保持させた基準情報、あるいは、規定の算出式に従って該基準情報から算出される情報を、電話機の所持者に支払う広告料の決定に用いるための情報として送信する処理とをコンピュータに実行させるプログラムを記録したことを、
特徴とするプログラム記録媒体。
【請求項５】
電話着信音を用いた広告情報提供方法の実現に用いられるプログラムを記録したプログラム記録媒体であって、
電話機に電話着信音をダウンロードする処理と、
上記ダウンロードした電話着信音毎に、該電話着信音の使用の際にもたらされる広告効果を評価する基準情報として、少なくとも該電話着信音を再生して着信を行った発信者の数を、発信者の電話番号を取得することによってカウントして保持させる処理と、
上記保持させた基準情報、あるいは、規定の算出式に従って該基準情報から算出される情報を、電話機の所持者に支払う広告料の決定に用いるための情報として送信する処理とをコンピュータに実行させるプログラムを記録したことを、
特徴とするプログラム記録媒体。
【発明の詳細な説明】
【０００１】
【発明の属する技術分野】
本発明は、電話着信音を用いた広告情報提供方法と、その広告情報提供方法の実現に用いられるプログラムを記録したプログラム記録媒体とに関する。
【０００２】
ビジネスを拡大するには有効な広告を行うことが不可欠である。これから、有効な広告を提供できる新たな技術の構築が叫ばれている。
【０００３】
【従来の技術】
携帯電話やＰＨＳなどのような移動電話では、着呼があると、メロディーを再生してユーザにその旨を通知するようにしている。
【０００４】
このとき再生するメロディーについては、予め移動電話に登録しておく構成を採って、その中からユーザが自由に選択することで、ユーザが自分の好みのメロディーを選択できるようにしている。
【０００５】
また、最近では、電話の着信音のメロディーを提供するサーバを用意して、通話料などを支払うことで、そのサーバから最新のヒット曲などのメロディーをダウンロードできるようにするサービスが提供されるようになってきている。
【０００６】
このように、従来では、ユーザは、お金を払って移動電話の着信音を選択するという立場に立たされている。
【０００７】
【発明が解決しようとする課題】
移動電話の着信音は、移動電話の所持者に聞こえるばかりでなくて、その周りにいる者にも聞こえる。これから、この着信音を広告として用いることが考えられる。
【０００８】
例えば、新曲を発売する音楽会社は、新曲のメロディーが着信音として再生されることで、その新曲の売り上げを延ばすことが期待できる。また、新製品を開発したメーカは、その新製品を宣伝するコマーシャルのメロディーが着信音として再生されることで、その新製品の売り上げを延ばすことが期待できる。
【０００９】
しかるに、広告依頼者は、広告の効果が分からないと広告を依頼しない。通常の場合、広告の効果と広告料との兼ね合いで広告を依頼するのか否かを決めるからである。
【００１０】
これから、移動電話の着信音を広告として用いる場合にも、その広告の効果を測定できる手段を用意する必要がある。しかるに、従来技術では、このような手段を用意していない。
【００１１】
ちなみに、ＴＶ放送でコマーシャルが全盛を極めているのは、ＴＶ番組の視聴率を測定する機構が用意されることで、コマーシャルの効果を測定できるからである。
【００１２】
したがって、移動電話の着信音を広告として用いることを実現するには、その広告の効果を測定できる手段を用意しなければならない。
【００１３】
本発明はかかる事情に鑑みてなされたものであって、移動電話の着信音を広告として用いる際の広告の効果を測定できるようにすることで、電話着信音を用いた広告情報の提供を実現できるようにすることを目的とする。
【００１４】
【課題を解決するための手段】
この目的を達成するために、本発明では、電話機に電話着信音をダウンロードする第１の処理過程と、そのダウンロードした電話着信音毎に、電話着信音の使用の際にもたらされる広告効果を評価する基準情報を取得して保持させる第２の処理過程と、その保持させた基準情報、あるいは、規定の算出式に従ってその基準情報から算出される情報を、電話機の所持者に支払う広告料の決定に用いるための情報として送信する第３の処理過程と、基準情報に応じて電話着信音の広告依頼者から広告料を徴収して、電話機の所持者に支払う第４の処理過程とを備えるように構成する。
【００１５】
このように構成される本発明では、第１の処理過程の処理に従って、電話機に電話着信音がダウンロードされると、第２の処理過程で、そのダウンロードされた電話着信音毎に、その電話着信音の使用の際にもたらされる広告効果を評価する基準情報として、少なくともその電話着信音を再生して通話処理に入った回数（通話回数）を取得して保持させるか、少なくともその電話着信音を再生して着信を行った発信者の数を、発信者の電話番号を取得することによってカウントして保持させる。
【００１６】
このようにして保持された基準情報を受けて、第３の処理過程で、その保持された基準情報（あるいは、規定の算出式に従ってその基準情報から算出される情報のこともある）を、電話機の所持者に支払う広告料の決定に用いるための情報として広告料徴収センタに送信し、これを受けて、広告料徴収センタでは、送られてくる情報に応じて、電話着信音の広告依頼者から広告料を徴収して、それを電話機の所持者に直接的に支払ったり、電話料を肩代わりすることなどにより間接的に支払う。
【００１７】
このように、本発明では、電話着信音の再生回数が多い程、電話着信音を用いた広告の効果が大きいことを判断する。これにより、電話機の所持者に対して、より大きな金額の広告料が支払われるようにする。
【００１８】
このとき、電話機の所持者が不正な行為をすることで不当な広告料の支払いを受けることを防止するために、実際に通話した回数（通話回数）を使って電話着信音の再生回数を計数したり、電話をかけてきた発信者の数を使って電話着信音の再生回数を計数する。
【００２０】
このようにして、本発明によれば、電話着信音の広告効果を測定できる手段を提供できるようになり、これにより、電話着信音を用いた広告情報の提供を実現できるようになる。
【００２１】
【発明の実施の形態】
以下、実施の形態に従って本発明を詳細に説明する。
【００２２】
図１に、本発明を具備する携帯電話１の一実施形態例を図示する。
【００２３】
この図に示すように、本発明を具備する携帯電話１は、広告料の支払い対象となる着信音の音データを配信する処理を行う着信音配信サーバ２と、広告依頼者から着信音の使用による広告料を徴収して、携帯電話１の所持者に支払う処理を行う広告料徴収センタ３とに接続されて、携帯電話機能部１０と、着信音ダウンロード部１１と、着信音データベース１２と、再生用着信音設定部１３と、再生用着信音記憶部１４と、広告料情報取得部１５と、広告料情報データベース１６と、広告料情報送信部１７と、地図データベース１８とを備える。
【００２４】
この携帯電話機能部１０は、着信音の再生機能を有して、携帯電話としての処理を実行する。着信音ダウンロード部１１は、着信音配信サーバ２から、広告料の支払い対象となる着信音の音データをダウンロードする。着信音データベース１２は、着信音ダウンロード部１１によりダウンロードされる着信音の音データを格納する。
【００２５】
再生用着信音設定部１３は、携帯電話１の所持者と対話することで、着信音データベース１２に格納される着信音の中などから、携帯電話機能部１０の再生する着信音を設定する。再生用着信音記憶部１４は、再生用着信音設定部１３の設定する着信音の情報を記憶する。
【００２６】
広告料情報取得部１５は、着信音配信サーバ２からダウンロードされる広告料の支払い対象となる着信音を処理対象として、その着信音が再生されるときに、携帯電話１の所持者に支払う広告料の算出に必要となる情報（広告料情報）を取得する。広告料情報データベース１６は、広告料情報取得部１５の取得する広告料情報を格納する。広告料情報送信部１７は、広告料情報データベース１６に格納される広告料情報を広告料徴収センタ３に送信する。
【００２７】
地図データベース１８は、携帯電話機能部１０などの持つＰＨＳ機能やＧＰＳ機能により検出される着信位置の情報と、その着信位置情報が示す着信位置レベルの情報（人口密度が大きい着信位置ほど大きな値を示すレベル値で定義される情報）との対応関係を定義する。
【００２８】
ここで、携帯電話機能部１０や着信音ダウンロード部１１や再生用着信音設定部１３や広告料情報取得部１５や広告料情報送信部１７は、具体的にはプログラムで実現されるものであり、このプログラムは、計算機が読み取り可能な半導体メモリなどの適当な記録媒体に格納することができる。
【００２９】
図２に、着信音データベース１２の格納する情報の一実施形態例、図３に、再生用着信音記憶部１４の記憶する情報の一実施形態例、図４ないし図６に、広告料情報データベース１６の格納する広告料情報の一例を図示する。
【００３０】
着信音データベース１２は、図２に示すように、着信音ダウンロード部１１によりダウンロードされた着信音のＩＤと対応をとりつつ、その着信音のタイトルと、その着信音の音データとを格納する。
【００３１】
着信音配信サーバ２は、携帯電話１の着信音を使って広告を提供したいと考える広告依頼者からの要求に応答して、企業のコマーシャルのメロディの着信音や、音楽会社の販売する新曲のメロディの着信音を配信するという構成を採っているので、着信音データベース１２には、これらの様々な広告メロディの着信音が格納されることになる。
【００３２】
一方、再生用着信音記憶部１４は、図３に示すように、再生用着信音設定部１３により設定された携帯電話機能部１０の再生する着信音のＩＤと、その音データとを記憶する。携帯電話機能部１０は、この再生用着信音記憶部１４に記憶される着信音の音データを使って、着呼時に着信音を再生することになる。
【００３３】
一方、広告料情報データベース１６は、本発明に関連する広告料情報として、例えば、図４（ａ）に示すように、着信音配信サーバ２から配信された着信音のＩＤと対応をとりつつ、その着信音を再生して着信処理を行った回数（着信回数）を管理したり、本発明を実現するための広告料情報として、図４（ｂ）に示すように、着信音配信サーバ２から配信された着信音のＩＤと対応をとりつつ、その着信音を再生して通話処理に入った回数（通話回数）を管理する。
【００３４】
図４（ａ）に示すような着信音毎の着信回数を管理するにあたって、図５（ａ）に示すように、着信音の再生ボリュームが閾値（図中のα）よりも小さいときや、着信音のループ回数が閾値（図中のβ）よりも小さいときや、上述した着信位置のレベル値が閾値（図中のγ）よりも小さいときには、その着信をなかったものと見なして着信回数を１つカウントアップしないようにする構成を採ることがある。
【００３５】
また、図４（ｂ）に示すような着信音毎の通話回数を管理するにあたって、図５（ｂ）に示すように、着信音の再生ボリュームが閾値（図中のα）よりも小さいときや、着信音のループ回数が閾値（図中のβ）よりも小さいときや、上述した着信位置のレベル値が閾値（図中のγ）よりも小さいときには、その通話をなかったものと見なして通話回数を１つカウントアップしないようにする構成を採ることがある。
【００３６】
これは、図７に示すように、着信音の再生ボリュームが大きいときには、携帯電話１の周りにいる沢山の人々に着信音が聞こえることで広告効果が大きく、また、着信音の再生ボリュームが小さいときには、携帯電話１の周りにいる人々にほとんど着信音が聞こえないことで広告効果が小さいことを考慮して、着信音の再生ボリュームが閾値よりも小さいときには、その着信や通話をなかったものと見なすようにしていることに、その理由がある。
【００３７】
そして、図８に示すように、着信音のループ回数が大きいときには、携帯電話１の周りにいる人々に聞こえる着信音の回数が多いことで広告効果が大きく、着信音のループ回数が小さいときには、携帯電話１の周りにいる人々に聞こえる着信音の回数が少ないことで広告効果が小さいことを考慮して、着信音のループ回数が閾値よりも小さいときには、その着信や通話をなかったものと見なすようにしていることに、その理由がある。
【００３８】
そして、図９に示すように、上述した着信位置のレベル値が大きい（着信位置の人口密度が大きい）ときには、携帯電話１の周りにいる人の数が多いことで広告効果が大きく、そのレベル値が小さい（着信位置の人口密度が小さい）ときには、携帯電話１の周りにいる人の数が少ないことで広告効果が小さいことを考慮して、そのレベル値が閾値よりも小さいときには、その着信や通話をなかったものと見なすようにしていることに、その理由がある。
【００３９】
また、広告料情報データベース１６は、本発明を実現するための広告料情報として、例えば、図６に示すように、着信音配信サーバ２から配信された着信音のＩＤと対応をとりつつ、その着信音を再生して着信処理を行った回数（着信回数）と、その着信音を再生して通話処理に入った回数（通話回数）と、その着信音の再生ボリュームの累積加算値と、その着信音のループ回数の累積加算値と、その着信音を再生した着信位置の示す上述したレベル値の累積加算値と、その着信音を再生した発信者の数（発信者の数を計数するために必要となる発信者のＩＤについても管理する）とを管理することがある。
【００４０】
広告料情報データベース１６が図６に示すような広告料情報を管理する構成を採るときには、携帯電話１の所持者には、例えば、
0003984780.tif 000002
という算出式に従って算出される広告料が支払われることになる。
【００４１】
ここで、図４ないし図６に示した広告料情報は一例に過ぎないものであって、広告料情報データベース１６は、例えば、図６に示した格納データの一部を広告料情報として管理することもある。
【００４２】
図１０に、広告料情報取得部１５の実行する処理フローの一例、図１１に、広告料情報送信部１７の実行する処理フローの一例、図１２に、広告料徴収センタ３に展開される図示しない広告料徴収部（プログラムで構成されている）の実行する処理フローの一例を図示する。
【００４３】
次に、これらの処理フローに従って、本発明に関連する技術について詳細に説明する。ここで、これらの処理フローでは、広告料情報データベース１６が図４（ａ）に示した広告料情報（着信回数）を管理することを想定している。
【００４４】
広告料情報取得部１５は、携帯電話機能部１０が着呼に応じて着信音を再生することで起動されると、図１０の処理フローに示すように、先ず最初に、ステップ１で、再生用着信音記憶部１４から、その再生された着信音のＩＤを取得する。例えば、Ａという企業のコマーシャルのメロディの着信音が再生された場合には、その着信音のＩＤを取得するのである。
【００４５】
続いて、ステップ２で、その取得した着信音ＩＤが広告料情報データベース１６に登録されているのか否かを判断して、登録されていないことを判断するときには、広告料情報データベース１６に格納される広告料情報を更新することなく、そのまま処理を終了する。
【００４６】
すなわち、着信音配信サーバ２から配信された着信音（広告料の支払い対象となる着信音）以外の着信音が再生される場合には、広告料情報データベース１６に格納される広告料情報を更新することなく、そのまま処理を終了するのである。
【００４７】
一方、ステップ２で、取得した着信音ＩＤが広告料情報データベース１６に登録されていることを判断するときには、ステップ３に進んで、その取得した着信音ＩＤの指す広告料情報データベース１６の着信回数を１つカウントアップして、処理を終了する。
【００４８】
すなわち、図１０の処理フローでは、広告料情報データベース１６が広告料情報として着信回数を管理することを想定しているので、新たな着信に合わせて、再生した着信音の着信回数を１つカウントアップして、処理を終了するのである。
【００４９】
このようにして、広告料情報取得部１５は、着信音配信サーバ２からダウンロードされた着信音毎に、それらの着信音の着信回数を計数して、それを広告料情報データベース１６に登録することで、広告料情報データベース１６が図４（ａ）に示すような広告料情報を管理するように処理するのである。
【００５０】
この広告料情報データベース１６に格納される広告料情報を受けて、広告料情報送信部１７は、広告料徴収センタ３を宛先とする携帯電話１の所持者が発行する送信要求に応答して起動されると、図１１の処理フローに示すように、先ず最初に、ステップ１で、広告料情報データベース１６に格納される広告料情報（着信回数）を読み出す。
【００５１】
続いて、ステップ２で、その読み出した広告料情報（着信回数）を広告料徴収センタ３に送信して、処理を終了する。
【００５２】
この広告料情報（着信回数）の送信を受けて、広告料徴収センタ３に展開される図示しない広告料徴収部は、携帯電話１から広告料情報（着信回数）が送られてくることで起動されると、図１２の処理フローに示すように、先ず最初に、ステップ１で、送られてくる広告料情報（着信回数）を受信する。
【００５３】
続いて、ステップ２で、その受信した広告料情報（着信回数）から、着信音毎に広告料を算出する。例えば、
広告料＝（着信音の再生単価）×（着信回数）
という算出式に従って、着信音毎に広告料を算出するのである。
【００５４】
続いて、ステップ３で、着信音毎に、着信音の広告依頼者に対して算出した広告料の請求データを発行することなどにより、着信音の広告依頼者から算出した広告料を徴収する。
【００５５】
続いて、ステップ４で、その徴収した広告料を携帯電話１の所持者の銀行口座に振り込むことなどにより、その徴収した広告料を携帯電話１の所持者に支払って、処理を終了する。
【００５６】
このようにして、本発明に関連する技術では、着信回数を使って、携帯電話１の着信音を使って広告を行うときの広告効果を評価し、それに従って携帯電話１の所持者に対して広告料を支払うことで、その広告の実現を可能にならしめるように処理するのである。
【００５７】
図１３に、本発明を実現するために広告料情報取得部１５が実行する処理フローの一実施形態例を図示する。
【００５８】
広告料情報取得部１５は、図１０の処理フローに従う場合には、広告料情報として着信回数を取得するように処理しているが、この図１３の処理フローに従う場合には、広告料情報として通話回数を取得するように処理している。
【００５９】
すなわち、広告料情報取得部１５は、図１３の処理フローに従う場合には、携帯電話機能部１０が着呼に応じて着信音を再生することで起動されると、先ず最初に、ステップ１で、再生用着信音記憶部１４から、その再生された着信音のＩＤを取得する。続いて、ステップ２で、その取得した着信音ＩＤが広告料情報データベース１６に登録されているのか否かを判断して、登録されていないことを判断するときには、そのまま処理を終了する。
【００６０】
一方、ステップ２で、取得した着信音ＩＤが広告料情報データベース１６に登録されていることを判断するときには、ステップ３に進んで、携帯電話機能部１０が通話処理に入ったのか否かを判断して、通話処理に入らないことを判断するときには、そのまま処理を終了し、通話処理に入ったことを判断するときには、ステップ４に進んで、その取得した着信音ＩＤの指す広告料情報データベース１６の通話回数を１つカウントアップして、処理を終了する。
【００６１】
このようにして、広告料情報取得部１５は、図１３の処理フローに従う場合には、着信音配信サーバ２からダウンロードされた着信音毎に、それらの着信音を使った通話回数を計数して、それを広告料情報データベース１６に登録することで、広告料情報データベース１６が図４（ｂ）に示すような広告料情報を管理するように処理するのである。
【００６２】
図１０の処理フローの構成に従って、着信回数を使って広告料の支払額を決定するという方法を用いると、携帯電話１の所持者が公衆電話などを使って何度も自分の携帯電話１に電話をかけることで、不正に広告料の支払いを受け取る可能性がある。
【００６３】
そこで、そのような不都合の発生を防止するために、図１３の処理フローでは、実際の通話回数を使って広告料の支払額を決定するという方法を用いているのである。すなわち、広告料の支払いを受け取るためには、それよりも大きな金額の通話料を支払う必要があるので、携帯電話１の所持者が不正な行為を行うことを防止できるようになる。
【００６４】
図１４に、本発明に関連する技術を実現するために広告料情報取得部１５が実行する処理フローの一例を図示する。
【００６５】
広告料情報取得部１５は、図１０の処理フローに従う場合には、広告料情報として着信回数を取得するときに、再生ボリュームの大きさに関係なく着信回数を計数するように処理しているが、この図１４の処理フローに従う場合には、バイブレーション設定などを考慮して、再生ボリュームの大きさが閾値以上であるときに着信回数を計数するように処理している。
【００６６】
すなわち、広告料情報取得部１５は、図１４の処理フローに従う場合には、携帯電話機能部１０が着呼に応じて着信音を再生することで起動されると、先ず最初に、ステップ１で、再生用着信音記憶部１４から、その再生された着信音のＩＤを取得する。続いて、ステップ２で、その取得した着信音ＩＤが広告料情報データベース１６に登録されているのか否かを判断して、登録されていないことを判断するときには、そのまま処理を終了する。
【００６７】
一方、ステップ２で、取得した着信音ＩＤが広告料情報データベース１６に登録されていることを判断するときには、ステップ３に進んで、着信音の再生ボリュームの大きさが規定の閾値以上であるのか否かを判断して、閾値以下であることを判断するときには、そのまま処理を終了し、閾値以上であることを判断するときには、ステップ４に進んで、その取得した着信音ＩＤの指す広告料情報データベース１６の着信回数を１つカウントアップして、処理を終了する。
【００６８】
このようにして、広告料情報取得部１５は、図１４の処理フローに従う場合には、着信音の再生ボリュームの大きさが閾値以上であることを条件にして、着信音配信サーバ２からダウンロードされた着信音毎に、それらの着信音を使った着信回数を計数して、それを広告料情報データベース１６に登録することで、広告料情報データベース１６が図５（ａ）に示すような広告料情報を管理するように処理するのである。
【００６９】
図１０の処理フローの構成に従って、再生ボリュームの大きさに関係なく着信回数を計数して広告料の支払額を決定するという方法を用いると、バイブレーション設定されていることなどにより着信音による広告効果がない場合にも、広告料が支払われるという不都合が発生する。
【００７０】
そこで、そのような不都合の発生を防止するために、図１４の処理フローでは、再生ボリュームの大きさが閾値以上であるときに着信回数を計数するように処理するのである。
【００７１】
図１４の処理フローでは、広告効果を考えて、再生ボリュームの大きさが規定の閾値以上であるときに着信回数を計数するように処理しているが、図５（ａ）で説明したように、着信音のループ回数が規定の閾値以上であるときに着信回数を計数するように処理したり、上述した着信位置のレベル値（人口密度を示している）が規定の閾値以上であるときに着信回数を計数するように処理してもよい。更に、これら条件の組み合わせが成立するときに、着信回数を計数するように処理してもよい。
【００７２】
そして、図１３に示したような通話回数で広告料の支払額を決定するという方法を用いるときに、図５（ｂ）で説明したように、再生ボリュームの大きさが規定の閾値以上であるときに通話回数を計数するように処理したり、着信音のループ回数が規定の閾値以上であるときに通話回数を計数するように処理したり、上述した着信位置のレベル値が規定の閾値以上であるときに通話回数を計数するように処理してもよい。更に、これら条件の組み合わせが成立するときに、通話回数を計数するように処理してもよい。
【００７３】
図１５に、本発明に関連する技術を実現するために広告料情報取得部１５が実行する処理フローの一例を図示する。
【００７４】
広告料情報取得部１５は、図１４の処理フローに従う場合には、着信音の再生ボリュームに応じて着信音の有効・無効を判断するように処理しているが、この図１５の処理フローに従う場合には、着信音の再生ボリュームの大きさの累積加算値を求めて、その累積加算値と着信回数とを広告料情報として、広告料情報データベース１６に登録するように処理している。
【００７５】
すなわち、広告料情報取得部１５は、図１５の処理フローに従う場合には、携帯電話機能部１０が着呼に応じて着信音を再生することで起動されると、先ず最初に、ステップ１で、再生用着信音記憶部１４から、その再生された着信音のＩＤを取得する。続いて、ステップ２で、その取得した着信音ＩＤが広告料情報データベース１６に登録されているのか否かを判断して、登録されていないことを判断するときには、そのまま処理を終了する。
【００７６】
一方、ステップ２で、取得した着信音ＩＤが広告料情報データベース１６に登録されていることを判断するときには、ステップ３に進んで、着信音の再生ボリュームの大きさを取得する。続いて、ステップ４で、その取得した着信音ＩＤの指す広告料情報データベース１６の着信回数を１つカウントアップするとともに、その取得した再生ボリュームの大きさに従って、その取得した着信音ＩＤの指す広告料情報データベース１６の再生ボリューム累積加算値を更新して、処理を終了する。
【００７７】
このようにして、広告料情報取得部１５は、図１５の処理フローに従う場合には、着信回数と着信音の再生ボリュームの累積加算値とで定義される広告料情報を取得して、それを広告料情報データベース１６に登録するように処理するのである。
【００７８】
この広告料情報データベース１６に格納される広告料情報（着信回数／再生ボリューム累積加算値）を受けて、広告料情報送信部１７は、広告料徴収センタ３を宛先とする携帯電話１の所持者が発行する送信要求に応答して起動されると、図１６（ａ）の処理フローに示すように、広告料情報データベース１６に格納される広告料情報（着信回数／再生ボリューム累積加算値）を読み出して、それを広告料徴収センタ３に送信する。
【００７９】
この広告料情報の送信を受けて、広告料徴収センタ３は、着信音毎に、例えば、
広告料＝（着信音の再生単価）×（着信回数）×（再生ボリューム累積加算値）
という算出式に従って広告料を算出して、それを着信音の広告依頼者から徴収し、携帯電話１の所持者に支払うように処理する。
【００８０】
あるいは、この広告料情報データベース１６に格納される広告料情報（着信回数／再生ボリューム累積加算値）を受けて、広告料情報送信部１７は、広告料徴収センタ３を宛先とする携帯電話１の所持者が発行する送信要求に応答して起動されると、図１６（ｂ）の処理フローに示すように、広告料情報データベース１６に格納される広告料情報（着信回数／再生ボリューム累積加算値）を読み出して、その読み出した広告料情報から、着信音毎に、例えば、
（着信音の再生単価）×（着信回数）×（再生ボリューム累積加算値）
という算出式に従って広告料を算出したり、
（着信回数）×（再生ボリューム累積加算値）
という算出式に従って広告料の算出に必要となる情報を算出して、それを広告料徴収センタ３に送信する。
【００８１】
この情報の送信を受けて、広告料徴収センタ３は、着信音の広告依頼者から広告料を徴収して、携帯電話１の所持者に支払うように処理する。
【００８２】
このようにして、広告料情報取得部１５は、図１５の処理フローを実行する場合には、着信回数と再生ボリュームの累積加算値とで定義される広告料情報を使って、携帯電話１の所持者に支払う広告料の金額をより適切なものに決定するように処理するのである。
【００８３】
図１７及び図１８に、本発明を実現するために広告料情報取得部１５が実行する処理フローの他の実施形態例を図示する。
【００８４】
広告料情報取得部１５は、この図１７及び図１８の処理フローに従う場合には、図６に示した広告料情報データベース１６を構築するように処理することで、携帯電話１の所持者に支払う広告料の決定に用いる広告料情報を作成するように処理する。
【００８５】
すなわち、広告料情報取得部１５は、図１７及び図１８の処理フローに従う場合には、携帯電話機能部１０が着呼に応じて着信音を再生することで起動されると、先ず最初に、ステップ１で、再生用着信音記憶部１４から、その再生された着信音のＩＤを取得する。続いて、ステップ２で、その取得した着信音ＩＤが広告料情報データベース１６に登録されているのか否かを判断して、登録されていないことを判断するときには、そのまま処理を終了する。
【００８６】
一方、ステップ２で、取得した着信音ＩＤが広告料情報データベース１６に登録されていることを判断するときには、ステップ３に進んで、発信者のＩＤとなる発信者の電話番号を取得する。
【００８７】
続いて、ステップ４で、携帯電話機能部１０などの持つＰＨＳ機能やＧＰＳ機能により検出される着信位置の情報を検索キーにして、地図データベース１８を参照することで、上述した着信位置のレベル値（人口密度が大きい着信位置ほど大きい値を示す）を取得し、続くステップ５で、着信音の再生ボリュームの大きさを取得する。
【００８８】
続いて、ステップ６で、携帯電話機能部１０が通話処理に入ったのか否かを判断して、通話処理に入らないことを判断するときには、ステップ７に進んで、着信音が鳴り終えるまでの間の着信音のループ回数を取得する。
【００８９】
続いて、ステップ８で、広告料情報データベース１６の着信回数を１つカウントアップするとともに、ステップ３で取得した情報に従って発信者数を更新（既に数えた発信者であるのか否かを判断して更新する）し、ステップ４で取得した情報に従って広告料情報データベース１６の着信位置レベル値累積加算値を更新し、ステップ５で取得した情報に従って広告料情報データベース１６の再生ボリューム累積加算値を更新し、ステップ７で取得した情報に従って広告料情報データベース１６の着信音ループ回数累積加算値を更新して、処理を終了する。
【００９０】
一方、ステップ６で、携帯電話機能部１０が通話処理に入ったことを判断するときには、ステップ９に進んで、通話処理に入るまでの着信音のループ回数を取得する。
【００９１】
続いて、ステップ１０で、広告料情報データベース１６の着信回数及び通話回数を１つカウントアップするとともに、ステップ３で取得した情報に従って発信者数を更新（既に数えた発信者であるのか否かを判断して更新する）し、ステップ４で取得した情報に従って広告料情報データベース１６の着信位置レベル値累積加算値を更新し、ステップ５で取得した情報に従って広告料情報データベース１６の再生ボリューム累積加算値を更新し、ステップ７で取得した情報に従って広告料情報データベース１６の着信音ループ回数累積加算値を更新して、処理を終了する。
【００９２】
このようにして、広告料情報取得部１５は、図１７及び図１８の処理フローに従う場合には、広告料情報データベース１６が図６に示すような広告料情報を管理するように処理するのである。
【００９３】
この広告料情報データベース１６に格納される図６に示したような広告料情報を受けて、広告料情報送信部１７は、広告料徴収センタ３を宛先とする携帯電話１の所持者が発行する送信要求に応答して起動されると、図１９（ａ）の処理フローに示すように、広告料情報データベース１６に格納される図６に示したような広告料情報を読み出して、それを広告料徴収センタ３に送信する。
【００９４】
この広告料情報の送信を受けて、広告料徴収センタ３は、着信音毎に、例えば、
0003984780.tif 000003
という算出式に従って広告料を算出して、それを着信音の広告依頼者から徴収し、携帯電話１の所持者に支払うように処理する。
【００９５】
あるいは、この広告料情報の送信を受けて、広告料情報送信部１７は、広告料徴収センタ３を宛先とする携帯電話１の所持者が発行する送信要求に応答して起動されると、図１９（ｂ）の処理フローに示すように、広告料情報データベース１６に格納される図６に示したような広告料情報を読み出して、その読み出した広告料情報から、着信音毎に、例えば、
0003984780.tif 000004
という算出式に従って広告料を算出したり、
0003984780.tif 000005
という算出式に従って広告料の算出に必要となる情報を算出して、それを広告料徴収センタ３に送信する。
【００９６】
この情報の送信を受けて、広告料徴収センタ３は、着信音の広告依頼者から広告料を徴収して、携帯電話１の所持者に支払うように処理する。
【００９７】
このようにして、広告料情報送信部１７は、図１７及び図１８の処理フローを実行する場合には、着信回数／通話回数／再生ボリューム累積加算値／着信音ループ回数累積加算値／着信位置レベル値累積加算値／発信者数とで定義される広告料情報を使って、携帯電話１の所持者に支払う広告料の金額をより適切なものに決定するように処理するのである。
【００９８】
ここで、この実施形態例で、発信者数を考慮する構成を採るのは、携帯電話１の所持者が特定の者と組んで、何度も自分の携帯電話１に電話をかけさせることで、不正に広告料の支払いを受け取る可能性があるからである。
【００９９】
また、この実施形態例の算出式で、着信回数と通話回数との間で重み付けを変えるのは、上述したように、着信回数を使って広告料の支払額を決定するという方法を用いると、携帯電話１の所持者が公衆電話などを使って何度も自分の携帯電話１に電話をかけることで、不正に広告料の支払いを受け取る可能性があるからである。
【０１００】
このようにして、本発明では、図２０に示すように、▲１▼広告依頼主が着信音ＣＭ提供サービス会社に自分の広告用の着信音を提供し、▲２▼これを受けて、着信音ＣＭ提供サービス会社が携帯電話の利用者にその着信音をダウンロードするので、▲３▼携帯電話の利用者は、着呼時に、その着信音を再生することで広告依頼主の広告を受け取る。
【０１０１】
この着信音の再生を受けて、携帯電話は着信回数などの広告料情報（着信音再生情報）を取得して蓄積するので、▲４▼携帯電話の利用者は、適当な時に、その着信音再生情報を着信音ＣＭ提供サービス会社に送信し、▲５▼これを受けて、着信音ＣＭ提供サービス会社は、その着信音再生情報から広告料を算出して、▲６▼広告依頼主に対して、広告料を請求する。
【０１０２】
この広告料の請求を受けて、▲７▼広告依頼主は、着信音ＣＭ提供サービス会社に広告料を支払い、▲８▼これを受けて、着信音ＣＭ提供サービス会社は、その広告料を着信音の再生料金の支払いとして、携帯電話の利用者に支払う。
【０１０３】
この本発明により成立するビジネスにより、広告依頼主は、着信音を使って携帯電話１の所持者に対してコマーシャルを提供できるようになるとともに、そのとき、その周辺にいる人々にコマーシャルを提供できるようになる。そして、通信事業者は、通信料の拡大が望めるとともに、携帯電話１の所持者は、広告料収入を得ることができるようになる。
【０１０４】
以上に説明した実施形態例では、携帯電話１が本発明を実現する機能を持つことで説明したが、図２１に示すように、交換機１００が本発明を実現する機能を持つことでもよい。
【０１０５】
（付記１）電話着信音を用いた広告情報提供方法であって、電話機に電話着信音をダウンロードし、上記ダウンロードした電話着信音毎に、該電話着信音の使用の際にもたらされる広告効果を評価する基準情報を取得して保持させ、上記保持させた基準情報、あるいは、規定の算出式に従って該基準情報から算出される情報を、電話機の所持者に支払う広告料の決定に用いるための情報として送信するように処理することを、特徴とする電話着信音を用いた広告情報提供方法。
【０１０６】
（付記２）付記１に記載される電話着信音を用いた広告情報提供方法において、上記基準情報に応じて電話着信音の広告依頼者から広告料を徴収して、電話機の所持者に支払うように処理することを、特徴とする電話着信音を用いた広告情報提供方法。
【０１０７】
（付記３）付記１又は２に記載される電話着信音を用いた広告情報提供方法において、上記基準情報として、着信回数及び／又は通話回数を取得するように処理することを、特徴とする電話着信音を用いた広告情報提供方法。
【０１０８】
（付記４）付記３に記載される電話着信音を用いた広告情報提供方法において、電話着信音の再生の際の再生ボリュームと再生ループ回数と再生位置の内の一部又は全てを考慮することで、有効な広告効果をもたらす着信回数及び／又は通話回数を取得するように処理することを、特徴とする電話着信音を用いた広告情報提供方法。
【０１０９】
（付記５）付記１又は２に記載される電話着信音を用いた広告情報提供方法において、上記基準情報として、着信回数及び／又は通話回数を取得するとともに、電話着信音の再生の際の再生ボリュームと再生ループ回数と再生位置と発信者情報の内の一部又は全てを取得するように処理することを、特徴とする電話着信音を用いた広告情報提供方法。
（付記６）電話着信音を用いた広告情報提供方法の実現に用いられるプログラムを記録したプログラム記録媒体であって、電話機に電話着信音をダウンロードする処理と、上記ダウンロードした電話着信音毎に、該電話着信音の使用の際にもたらされる広告効果を評価する基準情報を取得して保持させる処理と、上記保持させた基準情報、あるいは、規定の算出式に従って該基準情報から算出される情報を、電話機の所持者に支払う広告料の決定に用いるための情報として送信する処理とをコンピュータに実行させるプログラムを記録したことを、特徴とするプログラム記録媒体。
【０１１０】
【発明の効果】
以上説明したように、本発明によれば、電話着信音の広告効果を測定できる手段を提供できるようになり、これにより、電話着信音を用いた広告情報の提供を実現できるようになる。
【０１１１】
これにより、本発明によれば、広告依頼主は、着信音を使って携帯電話の所持者に対してコマーシャルを提供できるようになるとともに、そのとき、その周辺にいる人々にコマーシャルを提供できるようになる。そして、通信事業者は、通信料の拡大が望めるとともに、携帯電話の所持者は、広告料収入を得ることができるようになる。
【図面の簡単な説明】
【図１】  本発明を具備する携帯電話の一実施形態例である。
【図２】  着信音データベースの格納する情報の一実施形態例である。
【図３】  再生用着信音記憶部の記憶する情報の一実施形態例である。
【図４】  広告料情報データベースの格納する広告料情報の一例である。
【図５】  広告料情報データベースの格納する広告料情報の一例である。
【図６】  広告料情報データベースの格納する広告料情報の一例である。
【図７】  着信音による広告効果の説明図である。
【図８】  着信音による広告効果の説明図である。
【図９】  着信音による広告効果の説明図である。
【図１０】  広告料情報取得部の実行する処理フローの一例である。
【図１１】  広告料情報送信部の実行する処理フローの一例である。
【図１２】  広告料徴収センタの実行する処理フローの一例である。
【図１３】  広告料情報取得部の実行する処理フローの一実施形態例である。
【図１４】  広告料情報取得部の実行する処理フローの一例である。
【図１５】  広告料情報取得部の実行する処理フローの一例である。
【図１６】  広告料情報送信部の実行する処理フローの一例である。
【図１７】  広告料情報取得部の実行する処理フローの他の実施形態例である。
【図１８】  広告料情報取得部の実行する処理フローの他の実施形態例である。
【図１９】  広告料情報送信部の実行する処理フローの一実施形態例である。
【図２０】  本発明の説明図である。
【図２１】  本発明を具備する交換機の一実施形態例である。
【符号の説明】
１    携帯電話
２    着信音配信サーバ
３    広告料徴収センタ
１０  携帯電話機能部
１１  着信音ダウンロード部
１２  着信音データベース
１３  再生用着信音設定部
１４  再生用着信音記憶部
１５  広告料情報取得部
１６  広告料情報データベース
１７  広告料情報送信部
１８  地図データベース
【図１】
0003984780.tif 000006
【図２】
0003984780.tif 000007
【図３】
0003984780.tif 000008
【図４】
0003984780.tif 000009
【図５】
0003984780.tif 000010
【図６】
0003984780.tif 000011
【図７】
0003984780.tif 000012
【図８】
0003984780.tif 000013
【図９】
0003984780.tif 000014
【図１０】
0003984780.tif 000015
【図１１】
0003984780.tif 000016
【図１２】
0003984780.tif 000017
【図１３】
0003984780.tif 000018
【図１４】
0003984780.tif 000019
【図１５】
0003984780.tif 000020
【図１６】
0003984780.tif 000021
【図１７】
0003984780.tif 000022
【図１８】
0003984780.tif 000023
【図１９】
0003984780.tif 000024
【図２０】
0003984780.tif 000025
【図２１】
0003984780.tif 000026